(57)【要約】１つ又はそれ以上の凹部を有する平面状の基部を有しているハウジングと、凹部の中に配置された１つ又はそれ以上の光源アッセンブリと、を有する照明装置。１つの実施形態では、光源アッセンブリは、凹部と位置が合う形状に構成されている基板と、基板に固着されている複数の光源と、基板を凹部の中に固定するための手段と、で構成されている。注封用エポキシを、光源アッセンブリを覆い且つ凹部を充填するのに使用することができる。【選択図】図１
2010535403.tif 000002
【特許請求の範囲】
【請求項１】
照明装置であって、
実質的に平面状の基部を有するハウジングを備え、前記基部は、選択された形状の少なくとも１つの凹部を含んでおり、前記凹部はそれぞれ床を有しておりまた前記床を前記平面状の基部に接合している周壁によって形状が画定されており、
前記照明装置はさらに、少なくとも１つの光源アッセンブリを備え、各アッセンブリは、基板上に支持されている１つ又はそれ以上の光源を含んでおり、前記基板は、形状が前記凹部の形状に実質的に対応しており、また、前記凹部の前記床と位置が合うように構成されており、前記少なくとも１つの光源アッセンブリが前記凹部の中に配置されており、
前記照明装置はさらに、前記少なくとも１つの光源アッセンブリを前記凹部の中に固定する固定要素を備えている、照明装置。
【請求項２】
前記ハウジングは、アルミニウムから構成されている、請求項１に記載の照明装置。
【請求項３】
前記少なくとも１つの凹部は、形状が実質的に細長く、前記基板は、対応して形状が細長くなっている、請求項１に記載の照明装置。
【請求項４】
前記平面状の基部は、複数の細長い凹部と、前記複数の凹部のそれぞれの中に配置されているＬＥＤアッセンブリと、を有している、請求項３に記載の照明装置。
【請求項５】
前記複数の細長い凹部は並列に配置されている、請求項４に記載の照明装置。
【請求項６】
前記固定要素は、前記光源アッセンブリの少なくとも一部を覆い且つ前記凹部の少なくとも一部を充填しているポッティング用エポキシを備えている、請求項１に記載の照明装置。
【請求項７】
各床は、前記平面状の基部からオフセットしている、請求項１に記載の照明装置。
【請求項８】
前記１つ又はそれ以上の光源は、発光ダイオードを備えている、請求項１に記載の照明装置。
【請求項９】
照明装置であって、
実質的に平面状の基部と周壁とを有するハウジングを備え、前記基部は、少なくとも１つの選択された形状の凹部を含んでおり、前記凹部は、それぞれ床を有しておりまた前記床を前記平面状の基部に接合している前記周壁によって形状が画定されており、前記周壁は、前記平面状の基部に取り付けられているか又は当該基部と一体化されており、またその遠位縁に前記平面状の基部と位置を合わせた開口部を画定する内側を向いている周縁フランジを有しており、
前記照明装置はさらに、少なくとも１つの光源アッセンブリを備え、各光源アッセンブリは基板上に支持されている少なくとも１つの光源を含んでおり、前記基板はその形状が前記凹部の形状に実質的に対応しており、前記凹部の床と位置が合うように構成されており、前記少なくとも１つの光源アッセンブリは前記凹部の中に配置されており、
前記照明装置はさらに、前記少なくとも１つの光源アッセンブリを前記凹部の中に固定するための固定要素と、
前記ハウジングの前記開口部の中に配置されるカバープレートと、を備えており、前記カバープレートは、実質的に平面状の底部材と、前記平面状の底部に取り付けられているか又は当該底部と一体化されている周囲側壁とを備えており、前記平面状の底部材は複数の開口部を画定している手段を更に含んでおり、各開口部は前記少なくとも１つの光源と位置が合わされており、
前記照明装置はさらに、前記開口部を覆う大きさに作られていて、前記周縁フランジ上に支持されるように構成されているパネルを備えている、照明装置。
【請求項１０】
前記照明装置はさらに、前記少なくとも１つの光源に電力供給するための電力変換器を更に備えており、前記電力変換器は、前記周壁の中に配置されている、請求項９に記載の照明装置。
【請求項１１】
前記周壁は、空洞部を形成する内側を向いている周縁フランジを有している、請求項９に記載の照明装置。
【請求項１２】
前記ハウジングは、アルミニウムから構成されている、請求項９に記載の照明装置。
【請求項１３】
前記少なくとも１つの凹部はその形状が実質的に細長く、前記基板は対応してその形状が細長くなっている、請求項９に記載の照明装置。
【請求項１４】
前記平面状の基部は、複数の細長い凹部と、前記複数の凹部のそれぞれの中に配置されている光源アッセンブリと、を有している、請求項１３に記載の照明装置。
【請求項１５】
前記複数の細長い凹部は、並列に配置されている、請求項１４に記載の照明装置。
【請求項１６】
前記固定要素は、前記光源アッセンブリの少なくとも一部を覆い且つ前記凹部の少なくとも一部を充填しているポッティング用エポキシを備えている、請求項９に記載の照明装置。
【請求項１７】
各床は、前記平面状の基部からオフセットしている、請求項９に記載の照明装置。
【請求項１８】
前記少なくとも１つの光源は、発光ダイオードを備えている、請求項９に記載の照明装置。
【請求項１９】
前記パネルは、透明である、請求項９に記載の照明装置。
【請求項２０】
前記パネルは、半透明である、請求項９に記載の照明装置。
【請求項２１】
少なくとも１つの選択された形状の凹部を含んでいる実質的に平面状の基部を含む、複数の光源を保持するためのハウジングにおいて、各凹部は、床を有しており、前記床を前記平面状の基部に接合している周壁によってその形状が画定されているハウジング。
【請求項２２】
前記ハウジングは、アルミニウムから構成されている、請求項２１に記載の照明装置。
【請求項２３】
各床は、前記平面状の基部からオフセットしている、請求項２１に記載の照明装置。
【請求項２４】
前記少なくとも１つの凹部はその形状が実質的に細長く、前記基板は対応してその形状が細長くなっている、請求項２１に記載の照明装置。
【請求項２５】
前記平面状の基部は、複数の細長い凹部と、前記複数の凹部のそれぞれの中に配置されている発光ダイオードアッセンブリと、を有している、請求項２４に記載の照明装置。
【請求項２６】
前記複数の光源は、発光ダイオードを備えている、請求項２１に記載の照明装置。
【発明の詳細な説明】
【技術分野】
【０００１】
本開示は、概括的には、照明器具及び他の灯具に、より具体的には、光源のアッセンブリを支持する照明器具の形態をしている照明装置に関する。
【背景技術】
【０００２】
発光ダイオード（ＬＥＤ）の品質及びエネルギー効率が向上するにつれ、ＬＥＤの生産コストは下がり、ＬＥＤは多種多様な領域の照明用途に広く使用されるようになってきた。ＬＥＤを照明具に組み込もうとする初期の取り組みには、ＬＥＤを従来型の照明器具に後から組み込んだり、従来型の照明灯の形状に後から合わせたりすることが伴っていた。
【０００３】
より最近では、照明器具は、ＬＥＤの機能と仕様に対応するよう設計されるようになってきている。ＬＥＤは、取り扱いの容易さとモジュール性のために、通常は、印刷回路板（ＰＣＢ）上にアレイ状に一体に組み合わされている。ＬＥＤとＰＣＢをハウジング又は照明器具に組み立てる場合、複数のＬＥＤ及びそれらに関係付けられている光学器又は反射器による所望のアレイ又は要求されている照明効果を実現するために、個々のＬＥＤ及び／又はＰＣＢを正確に配置することが求められる。ＬＥＤを既存の照明器具又はハウジングに後から組み込む場合、ＬＥＤ又はＰＣＢをハウジング又は照明器具の中に配置して固定すること、ＬＥＤに適正且つ十分な電力及び制御を提供すること、及び、照明器具のふさわしい外観及び美観を維持することに関連する問題が持ち上がることもある。
【発明の概要】
【０００４】
本開示は、概括的には、少なくとも１つの凹部を有する平面状の基部を含んでいるハウジングと、少なくとも１つの凹部の形状に対応する形状に構成されている少なくとも１つの光源と、を備えている照明装置に関する。
【０００５】
１つの態様では、本開示は、従って、実質的に平面状の基部を有するハウジングであって、基部は、少なくとも１つの選択された形状の凹部を画定しており、各凹部は床を有していて、床を平面状の基部に接合している周壁によって形状が画定されている、ハウジングと、少なくとも１つの光源アッセンブリであって、各アッセンブリは、凹部の形状と実質的に形状が対応するように配置されていて、凹部の床と位置が合うように構成されている複数の光源を含んでおり、前記少なくとも１つの光源アッセンブリは凹部の中に配置されている、少なくとも１つの光源アッセンブリと、少なくとも１つの光源アッセンブリを凹部の中に固定する締結機構と、を備えている照明装置に関する。
【０００６】
本開示は、更に、実質的に平面状の基部と周壁とを有するハウジングであって、基部は少なくとも１つの選択された形状の凹部を含んでおり、各凹部は床を有していて、床を平面状の基部に接合している周壁によって形状が画定されており、周壁は平面状の基部に取り付けられているか又は同基部と一体化されていて、その遠位縁に、平面状の基部と位置を合わせた開口部を画定する内側を向いている周縁フランジを有している、ハウジングと、少なくとも１つの光源アッセンブリであって、各アッセンブリは、凹部の形状と実質的に形状が対応するように配置されていて、凹部の床と位置が合うように構成されている複数の光源を含んでおり、前記少なくとも１つの光源アッセンブリは凹部の中に配置され同凹部の中に固定されている、少なくとも１つの光源アッセンブリと、開口部を覆う大きさに作られていて、周縁フランジ上に支持されるように構成されている随意的な透明又は半透明のパネルと、を備えている照明装置に関する。
【０００７】
本開示は、更に、実質的に平面状の基部と周壁とを有するハウジングであって、基部は少なくとも１つの選択された形状の凹部を画定しており、各凹部は床を有していて、床を平面状の基部に接合している周壁によって形状が画定されており、周壁は平面状の基部に取り付けられているか又は同基部と一体化されていて、その遠位縁に、平面状の基部と位置を合わせた開口部を画定する内側を向いている周縁フランジを有している、ハウジングと、少なくとも１つの光源アッセンブリであって、各アッセンブリは、凹部の形状と実質的に形状が対応するように配置されていて、凹部の床と位置が合うように構成されている複数の光源を含んでおり、前記少なくとも１つの光源アッセンブリは凹部の中に配置され同凹部の中に固定されている、少なくとも１つの光源アッセンブリと、開口部の中に配置されているカバープレートであって、実質的に平面状の底部材と、平面状の底部に取り付けられているか又は同底部と一体化されている周囲側壁と、を備えており、平面状の底部材は更に複数の開口部を画定していて、各開口部は複数の光源の内の１つと位置が合わされている、カバープレートと、開口部を覆う大きさに作られていて、周縁フランジ上に支持されるように構成されている随意的な透明又は半透明のパネルと、を備えている照明装置に関する。
【０００８】
本開示の別の態様では、凹部及び関係付けられている基板は実質的に細長く直線状であり、ハウジングは、複数の細長い凹部と、複数の凹部の中に通常は並列に配置されている複数の光源アッセンブリと、を有している。
【０００９】
本開示のハウジングと反射器の１つの態様では、それらは、アルミニウムで形成されているが、金属、プラスチック、複合材、ガラス繊維を含め、他の材料を使用してもよい。本発明の光源の１つの態様では、それらは、各ＬＥＤアッセンブリの少なくとも一部を覆い且つ各凹部の少なくとも一部を充填している注封（ポッティング）用エポキシ又は他の接着材で固定されているＬＥＤを備えている。
【図面の簡単な説明】
【００１０】
【図１】ハウジング、カバープレート、及びレンズを含んでいる照明装置の１つの実施形態の斜視図を示している。
【図２】図１の照明装置の分解図を示している。
【図３】図１の照明装置の３−３線に沿う断面図を示している。
【図４】図１の照明装置のハウジングの４−４線に沿う断面図を示している。
【図５】照明装置のハウジング構造の平面状の基部の或る代わりの実施形態を示している。
【図６】照明装置のハウジング構造の平面状の基部の凹部の或る代わりの構造を示している。
【図７】照明装置のハウジング構造の平面状の基部の凹部のもう１つの代わりの構造を示している。
【図８】図１に示されているハウジングの正面図を示しており、背面図も同じである。
【図９】図１に示されているハウジングの右側面図を示しており、左側面図も同じである。
【図１０】図１に示されているハウジングを上から見た平面図を示している。
【図１１】図１に示されているハウジングを下から見た平面図を示している。
【発明を実施するための形態】
【００１１】
これより図面を参照してゆくが、図１は、ハウジング２０と、カバープレート３０と、光透過パネル６０と、を含んでいる本発明の代表的な照明装置１０構造の斜視図を、一部断面で示している。図２は、照明装置１０の分解図を示している。装置１０は、全体的には、ハウジング２０と、カバープレート３０と、電源（図示せず）及び制御部モジュールフレームアッセンブリ４０と、１つ又はそれ以上の光源アッセンブリ５０と、光透過性の透明又は半透明のパネル又はレンズ６０（平坦又は輪郭の付けられた形状）と、を備えている。取り付けブラケット及び他の取り付け要素（図１及び図２には図示せず）が、組み立てられた装置１０を支持面に取り付けている。図１及び図２に示されているハウジング２０は、矩形の基部２１と、基部２１に取り付けられているか又は同基部と一体化されている側壁２５、２６、２７、及び２８と、基部２１の表面に画定されている１つ又はそれ以上の選択された形状の凹部２２と、を備えている。ここの図面の装置１０の全体的に略矩形の形状は１つの実施形態を表しているに過ぎず、これらの教示及び付随の特許請求の範囲に含まれるものとして様々な形状が考えられることに留意頂きたい。丸形、矩形、楕円形、及び他の不規則な形状を含め、他のハウジング形状も本発明の範囲内で実現することができる。更に、以下でより詳しく論じてゆくが、凹部２２は、形状と数が凹部２２の形状と数に対応している１つ又はそれ以上の光源アッセンブリを受け入れるように構成されている。凹部２２は、従って、選択された照明配置構造に適合するよう対応した形状と数の光源アッセンブリを受け入れるのに、選択されたどの様な形状と寸法を有していてもよいし、それぞれに異なった形状、寸法、及び基部２１内配列を有していてもよい。図２に示されている凹部２２の細長い形状と凹部２２の側方並列配置は、これらの教示の範囲に含まれ、これらの教示によって指南された本発明を実践する熟練した技術者に想起されるであろう、多くの配置構造の代表に過ぎない。
【００１２】
描かれている実施形態では、光源アッセンブリ５０は、光の供給源としてのＬＥＤで構成されている。しかしながら、本発明は、これまでに知られているか又は今後作り出されるどの様な型式の光源を採用することもできる。明細書の残りの部分では、光源及び光源アッセンブリ５０は、ＬＥＤを構成しているか又はＬＥＤを採用しているものとして特定しているが、本開示又は本発明の範囲をＬＥＤとの使用に限定する意図は無く、当業者には明らかなように、ＬＥＤをどの様な光源と置き換えてもよい。
【００１３】
これより図１の照明装置の３−３線に沿う断面図を示している図３詳しく見てゆく。ハウジング２０の基部２１は、光源取り付け面２１ａと、反対側の、通常は、照明装置１０の、壁、天井、建物、又は他の構造に対する取り付け面の働きをする反対側の背面２１ｂと、を有している。
【００１４】
各凹部２２は、例えば、型押し又は成形などによって平面状の基部２１の平面状材料に形成してもよいし、基部２１をモールド成形する際にモールド成形してもよい。図３に示されている様に、各凹部２２の床２４は、平面状の基部２１から、通常は、光源取り付け面２１ａと反対の方向にオフセットした面内に位置している。凹部２２は、丸みを持たせた端部を有する実質的に直線状のものとして示されているが、上で示唆した様に、所望の照明配置構造を画定するのに、必要に応じて、丸形、方形、楕円形、及び他の不規則な形状の様な、他の凹部構成及び端部形状又は異なる形状を使用することもできる。
【００１５】
各凹部２２は、凹部２２の周囲を画定している壁２３を有している。通常、壁２３は、床２４の周囲を囲むように連続しているが、幾つかの実施形態では、壁には、電気リード線、配線などの設置に適合させるための破断部又は途切れがあってもよい。壁２３の高さは、通常、以下に論じている様に、中に光源アッセンブリを配置し固定することを目的とした凹部２２の深さを画定している。
【００１６】
図２及び図３に示されている例示的な床２４は、平面状の基部２１からオフセットしている面内に位置している。図５に示されている或る代わりの実施形態では、凹部２２′の床２４′は、平面状の基部２１と同一面内に配置することもでき、この場合、壁２３′は、床２４′と平面状の基部２１の両方から、それぞれに外向きに伸張している側面２３ａ′と２３ｂ′を有している。床２４′は、平面状の基部２１から光源アッセンブリに向かう方向にオフセットした面内に配置することもでき、その場合、壁２３′の外面２３ｂ’は、平面状の基部２１から外向きに、内壁２３ａ′の床からの距離より長い距離だけ伸張させるものと理解頂きたい。
【００１７】
図６に示されているもう１つの実施形態では、凹部２２″の壁２３″は、平面状の基部２１に固着され、その内側に床２４″が画定されるようにする別体の要素２１ａでもよい。図示の様に、別体の要素は、平面状の基部２１に固着される、床と細長い樋の形態をした壁から成るモジュール式凹部要素を備えていてもよい。これらの実施形態は、別々の成形工程と平面状の基部への取り付け工程とが必要になるかもしれないが、両工程は、光源アッセンブリを配置し固定することのできる凹部を形成する開示の態様を提供することができる。
【００１８】
図７に示されている更に別の実施形態では、少なくとも１つの平面状シート２１ａ'''が、平面状の基部２１を覆って配置され締結具によって同基部に固着されており、平面状シート２１ａ'''には、凹部２２'''を画定している貫通形成された少なくとも１つの開口部がある。開口部の縁は、凹部２２'''の壁２３'''を画定している。平面状シート２１'''の厚さは、床２４'''のオフセット間隔と凹部２２'''の深さとを画定している。
【００１９】
照明装置１０のハウジング２０は、更に、ハウジングの平面状の基部２１の周囲に取り付けられているか又はそれと一体化されており、通常は、平面状の基部と一体化されている、周囲側壁２５、２６、２７、及び２８として示されている、フレーム状の側壁を更に備えていてもよい。特に図３に示す様に、フレーム状の側壁は、平面状の基部２１の外縁から内向きに延びて、電力供給及び制御部モジュールフレーム４０を中に配置することのできる空洞部４８を形成するように構成されている。図示の実施形態では、側壁は、真っ直ぐで内向きに角度が付けられ、三角形状の断面を有する空洞部４８を形成している。他の側壁構成として、断面が矩形、楕円形、又は他の形状の空洞部を形成することもでき、図示の形状は、本開示に制限を課すものと考えられるべきではない。側壁は、装置１０構造の平面状の基部２１を囲むように実質的に連続する周囲空洞部４８を形成するために、それらの隣接する縁部で接合されている。
【００２０】
接合されているフレーム状の側壁２５、２６、２７、及び２８の遠位縁には、レンズ６０を支持するための、内側に向いている周縁フランジ２９を、適切な何らかの取り付け手段を用いて設けることができる。パネル６０は、ハウジング２０の開口部を覆う工程で、周縁フランジ２９の上面２１ａ又は下面２１ｂ（図３に見られる様に）の何れかに取り付けられるか又は同面によって支持されていてもよいことに留意されたい。
【００２１】
次に図２、図３、及び図４に示す様に、ＬＥＤ光源アッセンブリ５０の或る代表的な構造及び構成は、表面に１つ又は複数のＬＥＤ５２が所望のアレイ状に取り付けられる照明板であって、代表的にはＰＣＢの様な基板５１を含んでいてもよい。ＬＥＤの制御及び電力供給のための回路は、同様に、ＰＣＢ上に取り付けるか又は製作することもできるし、離れた場所に設置することもできる。ＬＥＤは、何れの種類、何れの色（即ち、あらゆる色又は白色光又は意図された照明配置構造が必要とする各色の混合と白色光の発光）、又は何れの輝度性能又は強度であってもよく、可視スペクトル内であるのが望ましい。色の選択は、本開示を実践する者によって、意図される照明配置構造が必要とする通りに行われる。この教示の中で考えられているＬＥＤは、どの様な半導体構成又は材料又は組み合わせを備えていてもよい。ＬＥＤは、ＬＥＤに組み込まれているか又はＬＥＤに重ねられている屈折光学器を有していてもよいし又はその様な屈折光学器を一切保有していなくてもよいし、代替的に或いは更に、低角又は中角ＬＥＤ光を外向きに向け直す取り囲み型の反射器を有していてもよい。１つの適した実施形態では、ＬＥＤ５２は、白色ＬＥＤであり、各ＬＥＤは、１つ又はそれ以上の燐光体を含んでいる被膜に連結されている窒化ガリウム（ＧａＮ）ベースの発光半導体素子を備えている。ＧａＮベースの半導体素子は、青色及び／又は紫外の範囲内の光を発し、燐光体被膜を励起して、長い波長の光を作り出す。組み合わされた光の出力は、白色出力に近似している。例えば、青色光を生成するＧａＮベースの半導体素子は、黄色燐光体と組み合わされて、白色光を作り出すことができる。代わりに、紫外線光を生成するＧａＮベースの半導体素子は、或る割合と配列で、赤色、緑色、及び青色の燐光体と組み合わされて、白色光を作り出すことができる。更に別の適した実施形態では、赤色又は緑色光を発するリン化物ベースの半導体素子の様な有色ＬＥＤが使用されており、この場合、光源アッセンブリ５０は、対応した色の光を作り出す。更に別の適した実施形態では、光源アッセンブリ５０は、赤−緑−青（ＲＧＢ）色合成配列を使用して、選択された色の光を作り出すために選択されたパターンでＰＣＢ上に分布させた赤色、緑色、及び青色のＬＥＤを含んでいる。この後者の一例的な実施形態では、ＬＥＤ照明板は、赤色、緑色、及び青色のＬＥＤを選択的に作動させることによって選択可能な色を選択された光学的強度で発光させるように構成することができる。
【００２２】
照明装置１０は、通常は、局所電力システムに依り、１１０−２７７Ｖのオフライン電圧を有する外部電源を受け入れている。１つの実施形態では、局所電力システムからのオフライン電圧１１０−２７７ＶのＡＣを、光源アッセンブリ５０のＬＥＤ電力及び制御部構成要素にとって必要とされる２４Ｖの定電流（ｍＡｍｐ範囲）に変換する外部低電圧電力システムを設けることもできる。別の実施形態では、ＬＥＤ照明装置１０は、オフライン電力をＬＥＤが必要とする低電圧定電流電力に直接変換する一体型のＬＥＤ電力及び制御部モジュールを設置できるように構成されている。ＬＥＤ板のドライバとコントローラには２４Ｖの定電流が日常的に供給され、それらはハウジング２０の中に配置されている電力供給及び制御部モジュールフレーム４０（図３）の中に取り付けることができる。
【００２３】
図３は、ＬＥＤ光源とＬＥＤカバープレート３０を備えて構成されている照明装置１０の断面図であり、ＬＥＤカバープレートは、開口縁３３によって画定されている複数の開口部３２を有する基部３１を備えている（図２も併せて参照）。開口部３２は、光源アッセンブリ５０のＬＥＤ５２と位置を合わせ、光を通せるようにアレイ状に配列されている。カバープレート３０は、反射性材料から作るか又は反射性被覆又は他の装飾パターンを持たせることもでき、それは、光源アッセンブリ５０の基板５１の外を向いている面と関係付けられ同面に取り付けられている電気回路を隠す役目も果たす。図示の実施形態では、開口部３２は、ＬＥＤ５２の典型的な円形の形状に対応する円形である。他の開口形状及び形状配列を使用することもできるし、それらは、意図されている照明配置構造が必要とする場合、２つ以上のＬＥＤ５２と位置が合う寸法と形状に構成してもよい。
【００２４】
カバープレート３０は、通常、基部３１を、フランジ２９によって画定されているハウジングの開口部から上向きに通して設置される。カバープレート３０は、通常は、その周辺から、互いに反対側の側面の対３５と３６によって画定されている外向きに張り出している周壁が伸びており、側面３５と３６の周辺に沿って、外向きに伸張している遠位縁３７が設けられている。側面３５と３６で形成されているスカート部の遠位縁３７は、カバープレート３０をハウジング２０の中に配置する際に、内向きに（図示されていないが、基部２１を垂直に通る照明装置１０の中心線に向けて）付勢又は操作して、外向きに伸張している遠位縁３７をフランジ２９の上面に載せ（図３で確認できる）、これにより、カバープレート３０をハウジング２０内でＬＥＤ５２を覆う所定位置に配置することができるようになっている。カバープレートは、平面状の基部２１から伸びているボルト６４をカバープレート基部の穴３８を通るように整列させることによって配置することもできる。カバープレートは、その後、ボルト６４に通されたナット６５によってその位置に固定することができる。側面３５と３６及び基部３１の露出面は、表面仕上げを施し、カバープレート３０を、照明装置１０に更なる光反射面を提供する反射器として働かせるようにすることもできる。
【００２５】
もう１つの代わりの実施形態では、光出力を落とすための制御部を、構造の外側又は内側か何れかに、内側の場合は制御部の配線を外側から構造に通して照明装置に組み込んで、設けることもできる。
【００２６】
ハウジング２０は、アルミニウム又は他の金属で、アルミニウムを商業的に成形するための、型押し、冷間成形、ダイキャスティング、永久モールドキャスティング、機械加工、又はサンドキャスティングの様な周知の方法の何れによって作られていてもよい。カバープレートの様な他の部品も、アルミニウム又は他の金属で作ることができる。ハウジング及び他の部品は、青銅、真鍮などの様な他の金属で作ることもできる。また、諸部品は、エンジニアリングプラスチック材料で、射出成形などによって作ることもできる。
【００２７】
アルミニウムハウジング２０を成形する一般的な方法は、基部部分を面内に固定し、側面２５−２８を基部２１に対して所望の角度に折り曲げる、薄長物プレスを採用している。次いで、折り曲げられた側面２５−２８をその場に拘束したまま、側面２５−２８の突き合わされる端部を一体に溶接すると、基部の平面的な形状が維持される。光源アッセンブリ５０、カバープレート３０、電力部フレーム、及び他の構成要素は、スクリュー、ボルト、リベット、溶接、つなぎ材、ラッチ、接着剤、及び他の固定要素を含め、各種締結要素又は固定要素を使用してハウジング２０に組み付けることができる。図２には、ハウジングの下面のねじ穴にねじ込まれるか又は固定される複数のねじボルト６４が示されており、同ボルトは、カバープレート及び電力部フレーム並びに随意的には光源アッセンブリ板５０に形成されている孔を通って伸張し、そこにねじナット６５が締められて、諸要素がハウジング２０に固定される。
【００２８】
本開示は、更に、各光源アッセンブリ５０をハウジング２０の凹部２２の中へ、注封（ポッティング）用材料６６（図３参照）の様な締結要素又は固定要素を使用して固定するための方法を提供している。１つの実施形態では、注封用材料６６は、少なくとも１つの光源アッセンブリ５０の少なくとも一部及びより一般的には全表面を覆いながら、同時に凹部２２の少なくとも一部及びより一般的には全部を充填するような、エポキシ又はシリコンベースの材料である。その様な注封材料は、低粘度、低密度、及び熱伝導性を有している。注封用エポキシ樹脂の限定するわけではないが代表的な例として、米国ノースキャロライナ州カリーのLord Corporation社から市販されているCircalok（登録商標）６７１５及び６７０３Ａ／Ｂを挙げることができる。
【００２９】
好適な方法の第１の段階で、固着されている光源アッセンブリ５０は凹部２２内で位置が合わせられ、通常は、凹部２２の床２４と熱移動接触状態に置かれる。随意的に、少量のエポキシ樹脂を、固化する前に、凹部の床２４に塗布して、光源アッセンブリ５０をハウジング２０に固着する接着剤の役目を果たさせることもできる。その後、エポキシ樹脂は、光源アッセンブリ５０の上から凹部２２の空隙の中とその周りに注ぎ込まれる。エポキシ樹脂は、光源アッセンブリ５０を埋め尽くすか又は完全に包んでもよい。エポキシ樹脂は、その後、一定時間放置、熱、ＵＶ光、又は他の放射線の印加、選択されたエポキシに利用可能な他の手段を含め、当技術で周知されている手段によって硬化させることができる。
【００３０】
注封用エポキシは、光源アッセンブリ５０を凹部２２の中に固定するか又は固定を支援し、ＬＥＤを使用する場合に、ＬＥＤと回路を、水分、塵、汚れ、及び環境の他の要素から隔離することができる。凹部は、更に、照明アッセンブリの組み立てを、同アッセンブリを手で製作する場合には特に、光源アッセンブリの場所を正確に画定することによって支援する。
【００３１】
図５から図１１は、ハウジングの装飾形状の様々な図を示している。図示の設計では、破線は環境を示しており、特許請求されている設計を何ら形成しているわけではない。
本開示について、様々な実施形態の詳細事項を参照しながら説明してきたが、当業者には本発明の精神及び付随の特許請求の範囲内で修正が容易に想起され得ると考えられることから、開示は限定を課す意味ではなく例示を目的としているものと理解頂きたい。
【図１】
2010535403.tif 000003
【図２】
2010535403.tif 000004
【図３】
2010535403.tif 000005
【図４】
2010535403.tif 000006
【図５】
2010535403.tif 000007
【図６】
2010535403.tif 000008
【図７】
2010535403.tif 000009
【図８】
2010535403.tif 000010
【図９】
2010535403.tif 000011
【図１０】
2010535403.tif 000012
【図１１】
2010535403.tif 000013
【図１２】
2010535403.tif 000014
【図１３】
2010535403.tif 000015
【図１４】
2010535403.tif 000016
【手続補正書】
【提出日】平成22年4月21日(2010.4.21)
【手続補正１】
【補正対象書類名】明細書
【補正対象項目名】００１０
【補正方法】変更
【補正の内容】
【００１０】
【図１】ハウジング、カバープレート、及びレンズを含んでいる照明装置の１つの実施形態の斜視図を示している。
【図２】図１の照明装置の分解図を示している。
【図３】図１の照明装置の３−３線に沿う断面図を示している。
【図４】図１の照明装置のハウジングの４−４線に沿う断面図を示している。
【図５】照明装置のハウジング構造の平面状の基部の或る代わりの実施形態を示している。
【図６】照明装置のハウジング構造の平面状の基部の凹部の或る代わりの構造を示している。
【図７】照明装置のハウジング構造の平面状の基部の凹部のもう１つの代わりの構造を示している。
【図８】凹部に配置された基板の一実施形態を示す図である。
【図９】凹部に配置された基板の或る代わりの実施形態を示す図である。
【図１０】凹部に配置された基板のもう１つの代わりの実施形態を示す図である。
【図１１】図１に示されているハウジングの正面図を示しており、背面図も同じである。
【図１２】図１に示されているハウジングの右側面図を示しており、左側面図も同じである。
【図１３】図１に示されているハウジングを上から見た平面図を示している。
【図１４】図１に示されているハウジングを下から見た平面図を示している。
【国際調査報告】
2010535403.tif 000017